(57)【要約】      （修正有）【課題】滑り止めスパイクを杖の先端から突出および収納させる切り換え操作が容易で、且つ該突出および収納状態が安定的である杖を提供する。【解決手段】長手方向一列に２個の外孔２２，２３を穿設した杖管が、下方にスパイク棒３５を有するスライド管３３を下方へ付勢しながら嵌合摺動可能に内包している。嵌合ピンがスライド管上方の内孔から外方へ突出するよう常時バネ３２により付勢されていて、杖管２個の外孔のいずれかに嵌り込んで両管の相対位置をロックするもので、いずれか一方ではスパイク棒が先ゴム４１から突出し、他方では先ゴム内に収容される。両管摺動部の縦断面形状が、管円弧及び直線によって形成された断面、あるいは管円弧及び中心位置を該円弧の外側に有するより小さな曲率の小円弧とによって形成されており、相互回動は許容されていない。【選択図】図４
0003150382.tif 000002
【実用新案登録請求の範囲】
【請求項１】
先端が鋭利なスパイク状に形成されて下方へ棒状に伸び出たスパイク棒が下方に固着され、上端部付近に内孔が穿設されたスライド管と、前記スパイク棒が挿通可能な貫通穴を有する先ゴムが下端部に固着され、該位置より上方で長手方向に沿って一列に２個の外孔が穿設された杖管と、前記スライド管内に収容され頭部が前記内孔から突出するようばねによりラジアル外方向へ付勢された係合ピンとによって構成され、前記杖管及び前記スライド管が互いに嵌り合って摺動可能な嵌合摺動部分を有しており、前記係合ピンが前記杖管の前記外孔のうちの１つから突出することによって両管の相対位置をロックするよう構成された歩行用杖において、
前記スライド管は前記杖管内のばねにより下方へ付勢されており、前記係合ピンが、前記杖管の前記外孔のうちの上方の穴と嵌り合うとき前記スライド管の前記スパイク棒が前記先ゴムの前記貫通穴内に収容ロックされ、前記外孔のうちの下方の穴と嵌り合うとき前記スライド管の前記スパイク棒が前記先ゴムの前記貫通穴から下方へ突き出てロックされるよう構成され、
前記両管相互の嵌合摺動部分が、管円弧及び直線とによって形成された断面形状を有する、あるいは、管円弧及び中心位置を該円弧の外側に有するより小さな曲率の小円弧とによって形成された断面形状を有することを特徴とする杖。
【請求項２】
前記杖管に穿設された２個の前記外孔、及び前記スライド管に穿設された上端部付近の前記内孔が、両管それぞれの断面形状の前記直線によって形成された部位、あるいは前記小円弧によって形成された部位に形成されていることを特徴とする請求項１記載の杖。
【考案の詳細な説明】
【技術分野】
【０００１】
本考案は出没可能な滑り止めスパイクを下端に備えた杖に関するものであり、特に圧雪あるいは凍結状態になった路面を歩行する時に好適に使用できるよう工夫したものである。
【背景技術】
【０００２】
特に路面が圧雪或は凍結状態になる降雪地の冬季に従来使用して好適なステッキは、杆状のステッキ本体と、該ステッキ本体の上端側に設けた握り部および先端（下端）に嵌着したゴム製などの石突きとから構成してあり、石突きによりステッキ本体の先端を保護すると共に、使用時の滑りを防止するようにしている。しかし、降雪地の路面は圧雪状態や凍結状態になると従来のステッキでは石突きが滑ってしまうという危険性があった。
そこで、ステッキ本体の下端側に滑り止めスパイクが設けられており、使用時に操作すると該スパイクが路面を突くべき位置に変わって歩行を介助するものが工夫されている。
【０００３】
下端部に設けられた滑り止めスパイクが、偏奇ばねのばね力の作用によって上、下方向に回動可能に構成されており、かつ上、下の各位置に保持するようにしたステッキが使用されている。しかし、この滑り止めスパイクがステッキ本体の外側に設けてあるため、歩行時に足に当たる危険性があるし、路脇の設置物に当たって損傷するという欠点があり、また非使用時には滑り止めスパイクの先端が上向きの状態で露出しているために使用者に不安感を与えるし、先端が他のものを傷付ける危険性がある。
また、滑り止めスパイクをステッキ本体の先端から常時突出させた構成のステッキが使用されているが、雪が解けた路面や建造物内の通路ではスパイクの先端が滑ってしまうという危険性があるし、当該路面や通路を痛めてしまうという問題もある。
こうした従来技術の諸欠点に鑑みなされた近年の技術では、滑り止めピンはステッキ本体に出入するので安全性に優れているし、他のものを損傷することもなく、また圧雪あるいは凍結状態の路面を歩行する場合には滑り止めピンを突出させ、逆に使用しない場合には容易に収納することができるので操作性、安全性に優れているもの、またステッキ本体内に土、砂、塵埃等が侵入しないものが提供されてきた。
【０００４】
以下に２つの事例を記載する。
【先行技術文献】
【特許文献】
【０００５】
【特許文献１】「特願2005-152458」によれば、［１］杖本体と、該杖本体の一端に固定され先端に接地部を持つ軸部材と、該軸部材に嵌合され該軸部材の軸方向にスライド可能な可動部材と、該可動部材を該軸部材の軸方向に対して複数段に切り換え固定する固定手段とからなり、［２］前記固定手段は、前記軸部材に設けられたピンと、前記可動部材に形成され該ピンに当接する複数段の切り欠きと、該切り欠きを該ピンに押圧する押圧手段とからなり、［３］前記押圧手段は前記軸部材と前記可動部の間に介在するバネであり、［４］前記軸部材の先端の接地部は鋭利な円錐状になっていることを特徴とする杖であって、本発明によれば、  杖本体と、杖本体の一端に固定され先端に接地部を持つ軸部材と、軸部材に嵌合され軸部材の軸方向にスライド可能な可動部材と、可動部材を軸部材の軸方向に対して複数段に切り換え固定する固定手段とからなるので、通常は鋭利な接地部が隠れているため、安全性に優れ、しかも構造が簡単なので、壊れにくく低コストで製造できる。また、分離した部品がないので、部品をなくす心配がない。として「発明の効果」が記載されている。
【０００６】
【特許文献２】「実登3048843」によれば、上端側に握り部が設けられ、少なくとも下端側には下端に開口する中空部が形成されたステッキ本体と、ピン挿通穴を有し、該ステッキ本体の下端側に設けられた石突きと、前記ステッキ本体の中空部に昇降可能に設けられ、前記ピン挿通穴に挿通された先端側が該石突きから外側に突出自在な滑り止めピンと、該滑り止めピンの先端側を前記石突きに対して収納および突出のいずれかの状態に位置決めすべく前記ステッキ本体に形成されたピンガイド溝とからなる。  ステッキ本体には、前記中空部に位置して前記滑り止めピンを収納方向に付勢する戻しばねを設けた構成にすることにより、操作が容易でしかも滑り止めピンを確実に位置決めできる。
【０００７】
前記石突きには、下向きに開口した凹陥部を形成し、前記滑り止めピンを挿通する前記ピン挿通穴は該凹陥部に開口させて形成することにより、滑り止めピンの先端部を保護できるし、ピン挿通穴に土、砂、塵埃、圧雪等の異物が詰まる事態を防止できる。
また、前記石突きのピン挿通穴に挿通した前記滑り止めピンは、収納時には先端側が該石突き内に後退するようにすることにより、滑り止めピンの先端部を保護できるし、ピン挿通穴に土、砂、塵埃、圧雪等の異物が詰まる事態を防止できる。
更に、前記石突きのピン挿通穴に挿通した前記滑り止めピンは、収納時には先端部のみが該石突きから前記凹陥部内に突出した状態になるようにする。これにより、ピン挿通穴に土、砂、塵埃、圧雪等の異物が詰まる事態を確実に防止できる。
前記石突きに形成したピン挿通穴は、前記滑り止めピンが摺動する穴径に形成することにより、ピン挿通穴から土、塵埃等の細かい異物が侵入するのを防止できる。
ステッキ本体は、前記中空部を形成する下側杆部を含む複数の杆部に分離可能に構成することにより、バッグ、鞄等に収納できるから携帯性に優れたステッキとして使用できる。
前記ピンガイド溝は上側端と下側端との間は谷溝を介して連通した形状に形成することにより、滑り止めピンの不用意な位置ずれを防止し、正確に位置決めできる。
【０００８】
上記両文献の杖のいずれもが、杖本体に対して長手方向にスライド可能に構成された可動部材を備えており、該可動部材が「文献１」では、先ゴム（ゴム製などの石突き）であり、「文献２」では、スパイクピンであることが代表的な相違点である。即ち、「文献１」では、スパイクピンは杖本体の下端に取り付け固定されており、可動部材である先ゴムの進退動作にともなってスパイクピンを先ゴムの穴から出没させるものである。他方「文献２」では、先ゴムは杖本体の下端に取り付け固定されており、可動部材であるスパイクピンが自身の進退動作にともなって先ゴムの穴から出没するものである。
【０００９】
上記両文献の杖に共通しているのは、
（１）可動体が付勢されている方向がスパイクピンを収納する方向であること、
（２）可動体の進退動作両端のロックは、可動体および被可動体のいずれか一方に取付け固定されたロックピンと、他方に備えられたガイド溝との遊合両端での当接によって行われる。即ち、「文献１」では杖本体側のスパイクピンに固定されたロックピンと、可動体である先ゴムの筒状側部に備えられたガイド溝とが遊合しており、進退動作の両端でロックピンがガイド溝のいずれかの端部に当接して付勢力により付勢される。「文献２」では、可動体であるスパイクピンに取付け固定された操作用ロックピンと、杖本体側のパイプ側部に備えられたガイド溝とが遊合しており、進退動作の両端でロックピンがガイド溝のいずれかの端部に当接して付勢力により付勢される。
（３）このように両者ともに、同一方向へ付勢されて２箇所の安定したロック位置を得るために、ガイド溝は途中で山を越えるような形状が必要であって、進退動作を操作するにあたっては杖の長手方向ならびに管の回転方向への移動が必要となる。強い付勢力を必要とする「文献１」の場合、また、小さなロックピンの頭部をつまんで操作することになる「文献２」の場合、必ずしも容易な操作、使いやすさとはいえない。
【考案の概要】
【考案が解決しようとする課題】
【００１０】
本考案は上述した問題点に鑑みて更なる改良を加えようとするものである。即ち、
前述した従来技術に記載された発明の杖においては、滑り止めスパイクピンの突出状態と収納状態とを切り換える場合、「文献１」では可動体である先ゴム自体を、「文献２」では操作用ロックピンの頭部を、付勢ばねの付勢力に直接的に対向させて押し下げなければならず、しかも杖の円周方向に形成されたＶ字の横溝に沿ってロックピンを移動操作しなければならなかった。したがって、片麻痺者や怪我により片手しか使用できない人にとっては、簡単に切り換え操作ができないため、大変不便であった。また、腕や手の力が衰えた高齢者の方や怪我をしている人にとっては、もっと力を入れなくても操作できるものが欲しかった。
【００１１】
本発明は、このような問題点を解決するためになされたものであって、軽い力で操作し得るようにして、片手しか使えない人や障害者、腕や手の力の弱い高齢者であっても、滑り止めスパイクを杖の先端から突出および収納させる切り換え操作が可能な歩行補助杖を提供することを目的としている。
【課題を解決するための手段】
【００１２】
先端が鋭利なスパイク状に形成されて下方へ棒状に伸び出たスパイク棒が下方に固着され、上端部付近に内孔が穿設されたスライド管と、前記スパイク棒が挿通可能な貫通穴を有する先ゴムが下端部に固着され、該位置より上方で長手方向に沿って一列に２個の外孔が穿設された杖管と、前記スライド管内に収容され頭部が前記内孔から突出するようばねによりラジアル外方向へ付勢された係合ピンとによって構成され、前記杖管及び前記スライド管が互いに嵌り合って摺動可能な嵌合摺動部分を有しており、前記係合ピンが前記杖管の前記外孔のうちの１つから突出することによって両管の相対位置をロックするよう構成された歩行用杖において、
前記スライド管は前記杖管内のばねにより下方へ付勢されており、前記係合ピンが、前記杖管の前記外孔のうちの上方の穴と嵌り合うとき前記スライド管の前記スパイク棒が前記先ゴムの前記貫通穴内に収容ロックされ、前記外孔のうちの下方の穴と嵌り合うとき前記スライド管の前記スパイク棒が前記先ゴムの前記貫通穴から下方へ突き出てロックされるよう構成され、
前記両管相互の嵌合摺動部分が、管円弧及び直線とによって形成された断面形状を有する、あるいは、管円弧及び中心位置を該円弧の外側に有するより小さな曲率の小円弧とによって形成された断面形状を有することを特徴とする杖であること。また、
【００１３】
前記杖管に穿設された２個の前記外孔、及び前記スライド管に穿設された上端部付近の前記内孔が、両管それぞれの断面形状の前記直線によって形成された部位、あるいは前記小円弧によって形成された部位に形成されていることを特徴とする上記の杖である。
【考案の効果】
【００１４】
上記の手段によって、スパイク棒３５を出没させる切替え操作が下記のように極めて容易にできる効果が生まれる。即ち、
杖管２０の上方の外孔２３から外方へ弾性的に突き出ている係合ピン３１の頭部を、付勢力に抗してスライド管３３内に押し込むことによって杖管２０の外孔２３への嵌まり込みロックが解除される。押しコイルばね２６の付勢力によりスライド管３３が瞬間的に下方へ摺動して行き係合ピン３１の頭部が杖管２０の下方の外孔２２の位置に達して、再度スプリング３２の付勢力により該外孔２２へ嵌まり込みロックされる。即ちスパイク棒３５が先ゴム４１の貫通穴から下方へ突き出て不動にロックされることになる。
つづいて今度は係合ピン３１の頭部を付勢力に抗してスライド管３３内に押し込むと、再び下方の外孔２２への嵌まり込みロックが解除されたた状態となるので、スパイク棒３５の先端を路面に突いて杖管２０の中へ加圧して押し込んで行く。係合ピン３１の頭部が移動して上方の外孔２３の位置に達すると、再度スプリング３２の付勢力により該外孔２３へ嵌まり込みロックされる。即ちスパイク棒３５が先ゴム４１の貫通穴内に収容されて不動にロックされることになる。
また、係合ピン３１の頭部の位置を杖管外面の直線状部分あるいは小さな曲率の小円弧状部分４３に置くことによって杖管外面の円形内に収まる位置に構成することができ、外部の物に触れ難くなるので、使用中にロックが解除されてしまう危険を避けることができるのも本考案によって生まれる効果である。
【考案を実施するための形態】
【００１５】
以下、本考案の実施例について図面を参照しながら説明する。
【実施例１】
【００１６】
図１は本実施例の杖の側面図であり、（ａ）はスパイク棒３５が先ゴム（石突き）４１の貫通穴から下方へ突き出てロックされた状態、（ｂ）はスパイク棒３５が先ゴム４１の貫通穴内に収容ロックされた状態を示す。図２は杖管２０および先ゴム４１を断面して見たスライドユニット３０の側面図であり、（ａ）、（ｂ）の２状態を示す。図３はスライドユニット３０の内部を示す３面図であり、底面図は杖管２０およびスライド管３３を係合ピン３１の位置で断面した縦断面図である。
【００１７】
グリップ１１を上方に固着して有する外管１２と、先ゴム４１を下方に固着して有する杖管２０の上方が上記外管１２内に摺動可能かつ所定の位置で固定可能に挿入されて構成される。杖管２０および先ゴム４１内部には、スパイク棒３５が下方に固着されたスライドユニット３０が摺動可能な嵌合摺動部分を有して互いに嵌り合っており、スパイク棒３５の下方は先端が鋭利なスパイク状に形成されている。
【００１８】
杖管２０及びスライド管３３同士の嵌合摺動部領域は、その縦断面において互に相似形に形成されており、管円弧及び直線によって形成された断面形状を有している。嵌合摺動部領域において杖管２０の管内面及びスライド管３３の管外面は、滑らかに摺動可能な相互隙間を有しており且つ相互回動は許容されていない。
杖管２０の嵌合摺動部領域には、２個の外孔２２、２３が管の伸張方向へ一列に並んで形成されている。本実施例では２個の外孔２２、２３が、杖管縦断面の直線部分即ち管形の平面部４２において整列しているが、必ずしもその必要はなく平面部４２から任意にラジアル方向へ方位していてもよい。つまり２個の外孔２２、２３は杖管縦断面の円弧部分即ち管形の円筒面上において整列していても良い。
スライド管３３の嵌合摺動部領域の管形の４２部において、上部には1個の内孔２１が管芯から外方向へ向けて開口形成されている。本実施例では内孔２１が管縦断面の直線部分即ち管形の平面部４２において開口しており、杖管２０の２個の外孔２２、２３と同芯に対応するべくラジアル方向の方位を定めて形成されている。
【００１９】
スライド管３３内には、内孔２１の位置においてスプリング３２によって内孔２１の開口方向へ付勢された係合ピン３１が収容されており、杖管２０の２個の外孔２２、２３へ嵌まり込むべきその頭部が内孔２１から外方へ弾性的に突き出ている。
杖管２０の２個の外孔のうち下方の外孔２２が該係合ピン３１の頭部を収容しているときは、スパイク棒３５が先ゴム４１の貫通穴から下方へ突き出てロックされた［図１の（ａ）および図２の（ａ）に示す］状態であり、上方の外孔２３が該係合ピン３１の頭部を収容しているときは、スパイク棒３５が先ゴム４１の貫通穴内に収容ロックされた［図１の（ｂ）および図２の（ｂ）に示す］状態であって、両管２０、３３の相対位置が固定されている。
スライド管３３の上端には上栓３８が、下端には下栓３７がそれぞれかしめ固定されており、下栓３７にはスパイク棒３５がねじ固定およびナットロックされて下方に突き出ている。上記のごとくスライドユニット３０が構成されており、該ユニット全体が杖管２０内に配置された押しコイルばね２６によって常時下方へ付勢されている。
【００２０】
両管２０、３３の相対位置の切替え操作がスパイク棒３５の出没切替え操作である。
杖管２０の上方の外孔２３から外方へ弾性的に突き出ている係合ピン３１の頭部を、付勢力に抗してスライド管３３内に押し込むことによって杖管２０の外孔２３への嵌まり込みロックが解除される。押しコイルばね２６の付勢力によりスライド管３３が下方へ摺動して行き係合ピン３１の頭部が杖管２０の下方の外孔２２の位置に達すると、再度スプリング３２の付勢力により該外孔２２へ嵌まり込みロックされる。即ちスパイク棒３５が先ゴム４１の貫通穴から下方へ突き出て不動にロックされることになる。つづいて今度は係合ピン３１の頭部を付勢力に抗してスライド管３３内に押し込み下方の外孔２２への嵌まり込みロックを解除した状態で、スパイク棒３５の先端を路面に突いて杖管２０の中へ加圧して押し込んで行く。係合ピン３１の頭部が移動して上方の外孔２３の位置に達すると、再度スプリング３２の付勢力により該外孔２３へ嵌まり込みロックされる。即ちスパイク棒３５が先ゴム４１の貫通穴内に収容されて不動にロックされることになる。
【００２１】
両管２０、３３は円筒状に伸延されたアルミ合金管から、嵌合摺動部領域を圧延塑性加工により造形したものであり、係合ピン３１、スプリング３２、押しコイルばね２６等は従来の杖に使用されるステンレス合金、ばね板、ばね線等を用いているが、他の材質や他の造形方法を用いることも可能である。
【実施例２】
【００２２】
図４は、本実施例の杖のスライドユニット３０の近傍を断面して見た側面図であり、（ａ）はスパイク棒３５が先ゴム（石突き）４１の貫通穴から下方へ突き出てロックされた状態、（ｂ）はスパイク棒３５が先ゴム４１の貫通穴内に収容ロックされた状態を示す。
【００２３】
本実施例の構成は前掲の実施例１と同等に構成されており全体図は図示しない。スライド管３３の上方に、スライド上管３４が連結棒３９で連結されて備わり、内孔２１、係合ピン３１、スプリング３２がいずれもスライド上管３４内に配置されることが実施例１との違いである。スライド管３３の下方にスパイク棒３５が固着されており、杖管２０との嵌合摺動部領域において、スライド管３３およびスライド上管３４の管外面は、杖管２０の内面と滑らかに摺動可能な相互隙間を有しており且つ相互回動は許容されていないことは実施例１と同じである。
【００２４】
図５に示すように本実施例の杖管２０との嵌合摺動部領域は、管円弧及び中心位置を該円弧の外側に有するより小さな曲率の小円弧とによって形成された断面形状を有しており、杖管２０に穿設された２個の外孔２２、２３が杖管縦断面の小円弧部分４３即ち管形の凹円弧溝部において、管の伸張方向へ一列に整列して形成されており、スライド上管３４の嵌合摺動部領域の管形の凹円弧溝部において、1個の内孔２１が管芯から外方向へ向けて開口形成されていることも実施例１と同等である。
【００２５】
本実施例では、杖管２０の２個の外孔２２、２３が凹円弧溝部の中央に開口していることが特徴であり、これによって係合ピン３１の頭部が杖管外面の円形内に収まる位置に構成することができ、外部の物に触れ難くなるので、使用中にロックが解除されてしまうような危険を避けることができると言う効果を生むものである。
本実施例の材質や造形方法は実施例１の場合と同等であり、且つスパイク棒３５を出没させる操作の容易さ、安全性を目指す効果も同様である。
【図面の簡単な説明】
【００２６】
【図１】実施例１の杖の側面図（ａ）、（ｂ）
【図２】実施例１の杖の杖管および先ゴムを断面したスライドユニットの側面図（ａ）、（ｂ）
【図３】実施例１の杖のスライドユニットの内部断面を示す３面図
【図４】実施例２の杖のスライドユニットの内部断面を示す側断面図（ａ）、（ｂ）
【図５】実施例２の杖の杖管およびスライド管を係合ピンの位置で断面した縦断面図
【符号の説明】
【００２７】
１１      グリップ
１２      外管
２０      杖管
２１      内孔
２２      下方の外孔
２３      上方の外孔
２５      中栓
２６      押しコイルばね
２７      係合ピン
２８      スプリング
３０      スライドユニット
３１      係合ピン
３２      スプリング
３３      スライド管
３４      スライド上管
３５      スパイク棒
３６      六角ナット
３７      下栓
３８      上栓
３９      連結棒
４０      上管下栓
４１      先ゴム（石突き）
４２      平面部
４３      小円弧部
４５      管円弧部
【図１】
0003150382.tif 000003
【図２】
0003150382.tif 000004
【図３】
0003150382.tif 000005
【図４】
0003150382.tif 000006
【図５】
0003150382.tif 000007